(57)【要約】【課題】制御部は操作部の位置に影響を受けることなく、電気装置の自由な位置に配置することができる、全自動洗濯機を提供する。【解決手段】情報を入力するための操作部３と、洗濯モータ４と、操作部３にて設定入力された入力情報に基づいて洗濯モータ４を駆動制御するための制御部５とを備えた全自動洗濯機において、操作部３は制御部５に対してワイヤレス状態とするとともに外部から電源供給を受けず且つ電池機能を有しない構成とし、制御部５は操作部３での設定入力操作に基づいた入力情報を操作部３から受信して洗濯モータ４を駆動制御する。具体的には、操作部３は圧電信号発生装置６を内蔵し、圧電信号発生装置６は、操作部３での押圧設定入力操作時、当該操作に対応した入力情報の信号を圧電変換して制御部５に対してワイヤレス発信する。【選択図】　　　　　　図２
2004040713.tif 000002
【特許請求の範囲】
【請求項１】
情報を入力するための操作部と、負荷部と、前記操作部にて設定入力された入力情報に基づいて前記負荷部を駆動制御するための制御部とを備えた操作部を有する電気装置において、前記操作部は前記制御部に対してワイヤレス状態とするとともに外部から電源供給を受けず且つ電池機能を有しない構成とし、前記制御部は前記操作部での設定入力操作に基づいた入力情報を前記操作部から受信して前記負荷部を駆動制御することを特徴とする操作部を有する電気装置。
【請求項２】
前記操作部は圧電信号発生装置を内蔵し、この圧電信号発生装置は、前記操作部での押圧設定入力操作時、当該操作に対応した入力情報の信号を圧電変換して前記制御部に対してワイヤレス発信することを特徴とする請求項１に記載の操作部を有する電気装置。
【請求項３】
前記操作部は共振回路装置を内蔵し、この共振回路装置は、前記操作部での設定入力操作時、当該操作に対応した入力情報の信号であって前記制御部から発信された信号に共振した信号を、前記制御部に対して送信することを特徴とする請求項１に記載の操作部を有する電気装置。
【請求項４】
前記負荷部は、洗濯機のモータ、食器洗い機のポンプモータ、電子レンジのマグネトロン、電磁調理器の加熱コイル、自動洗髪機のポンプモータ等であり、前記電気装置は水分を扱うことを特徴とする請求項１に記載の操作部を有する電気装置。
【発明の詳細な説明】
【０００１】
【発明の属する技術分野】
本発明は、洗濯機、食器洗い機、電子レンジ、電磁調理器、自動洗髪機等の、操作部を有する電気装置に関する。
【０００２】
【従来の技術】
洗濯機等の電気装置においては、操作部で設定入力された情報が制御部へ伝送され、制御部はこの情報に基づいて洗濯モータ等の負荷部を駆動制御する。この場合、操作部は洗濯機の上面前方の操作しやすい場所に設けられており、制御部は操作部に近接した操作部裏面に配置されて配線を介して操作部と接続されている。即ち、制御部は配線の関係上、操作部近辺に設けられている。
【０００３】
【発明が解決しようとする課題】
従って、制御部は操作部近辺に配置しなければならないという制約があり、設計自由度が悪い。また、操作部近辺が比較的水分に晒されやすい場所であると、防水対策に注意を払わねばならいないという問題がある。
【０００４】
本発明は、かかる背景のもとでなされたもので、設計自由度があり、或いは水分に対する対策の取りやすい、操作部を有する電気装置を提供することを目的とする。
【０００５】
【課題を解決するための手段および発明の効果】
上記目的を達成するための本発明は、情報を入力するための操作部と、負荷部と、前記操作部にて設定入力された入力情報に基づいて前記負荷部を駆動制御するための制御部とを備えた操作部を有する電気装置において、前記操作部は前記制御部に対してワイヤレス状態とするとともに外部から電源供給を受けず且つ電池機能を有しない構成とし、前記制御部は前記操作部での設定入力操作に基づいた入力情報を前記操作部から受信して前記負荷部を駆動制御することを特徴とする。
【０００６】
ここに、前記操作部は圧電信号発生装置を内蔵し、この圧電信号発生装置は、前記操作部での押圧設定入力操作時、当該操作に対応した入力情報の信号を圧電変換して前記制御部に対してワイヤレス発信する。
【０００７】
または、前記操作部は共振回路装置を内蔵し、この共振回路装置は、前記操作部での設定入力操作時、当該操作に対応した入力情報の信号であって前記制御部から発信された信号に共振した信号を、前記制御部に対して送信する。
【０００８】
前記負荷部は、洗濯機のモータ、食器洗い機のポンプモータ、電子レンジのマグネトロン、電磁調理器の加熱コイル、自動洗髪機のポンプモータ等であり、電気装置は水分を扱うものである。
【０００９】
本発明の構成によれば、操作部は制御部に対してワイヤレス状態であり、制御部は操作部の位置に影響を受けることなく、電気装置の自由な位置に配置することができる。例えば、水分に晒され難い場所に自由に配置できる。
【００１０】
また、操作部は制御部に対してワイヤレス状態であるため制御部から電源を受けることができない。ここで、操作部内に電池を内蔵することが考えられるが、電池の消耗時にその都度電池交換を行わねばならず面倒である。
【００１１】
而して、本発明の構成においては、操作部は、電池が内蔵されていない構成にて、入力情報を制御部へ伝えることができ、電池交換の面倒さを解消することができる。
【００１２】
【発明の実施の形態】
以下に、図面を参照して、本発明の実施形態について具体的に説明する。図１は、本発明の一実施形態に係る全自動洗濯機の外観構成を示す斜視図である。全自動洗濯機は、本体１内に洗濯槽（図示しない）を内蔵しており、この洗濯槽に対して本体１の上面には開閉蓋２が設けられている。そして、本体１の上面前方の操作しやすい場所には、運転情報を入力するための操作部３が設けられている。
【００１３】
図２は、全自動洗濯機の回路を示す。前記操作部３と、負荷部である洗濯モータ４と、操作部３にて設定入力された入力情報に基づいて洗濯モータ４駆動制御する制御部５とが設けられている。
【００１４】
操作部３は制御部５に対してワイヤレス状態であるとともに外部から電源供給を受けず且つ電池機能を有しない構成であり、制御部５は操作部３での設定入力操作に基づいた入力運転情報を操作部３から受信して洗濯モータ４を駆動制御する。
【００１５】
具体的には、操作部３は圧電信号発生装置６を内蔵している。この圧電信号発生装置６は、圧電素子７及びこの圧電素子７が発生する電気を受けて作動する周波数発信器８を含み、キーボード９でのキー押圧設定入力操作時、当該キー押圧操作に対応した入力情報の信号を圧電変換して制御部５に対してワイヤレス電波発信する。
【００１６】
あるいは、本発明の他の実施形態に係る全自動洗濯機の回路を示す図３のように、操作部３は共振回路装置１０を内蔵している。この共振回路装置１０は、操作部３での設定入力操作時、共振回路が形成され、当該キー操作に対応した入力情報の信号であって制御部５から発信された電波信号に共振した電波信号を、制御部５へ返す。
【００１７】
尚、上記実施例では、本発明の電気装置として全自動洗濯機を例示したが、食器洗い機、電子レンジ、電磁調理器、自動洗髪機等の電気装置（水分を扱う）であっても良い。この場合、食器洗い機にあってはポンプモータ、電子レンジにあってはマグネトロン、電磁調理器にあっては加熱コイル、自動洗髪機にあってはポンプモータが各々負荷部となる。
【００１８】
本発明は、以上の実施形態の内容に限定されるものではなく、請求項記載の範囲内において種々の変更が可能である。
【図面の簡単な説明】
【図１】本発明の一実施形態に係る全自動洗濯機の外観斜視図である。
【図２】この全自動洗濯機の回路図である。
【図３】本発明の他の実施形態に係る全自動洗濯機の回路図である。
【符号の説明】
１　　洗濯機本体
２　　開閉蓋
３　　操作部
４　　洗濯モータ
５　　制御部
６　　圧電信号発生装置
７　　圧電素子
８　　周波数発信器
９　　キーボード
１０　　共振回路装置
【図１】
2004040713.tif 000003
【図２】
2004040713.tif 000004
【図３】
2004040713.tif 000005